(57)【要約】【課題】車上無線商取引システムの提供。【解決手段】機動車両上にカード読み書き機及びＧＳＭモデムが設置される。カード読み書き機はポントカードのポイント数を読み取り、注文要求を入力する時、ポイント数より取引ポイント数を差引き、残りのポイント数をフェアカード内に書き込み、並びにＧＳＭモデムで取引ポイント数を無線で商店端のコンピュータに伝送し、特約商店より商品を提供し取引を完成する。これにより、本考案は機動車両上で直接無線方式でリアルタイムで商品の注文ができ、並びにリアルタイムで取引を完成できる。本考案の商店端コンピュータはまたそれぞれ累加統計し、各識別コードの取引ポイント数に対応し、これによりボーナス積分のセールス企画を提供する。【選択図】図１
0003121789.tif 000002
【実用新案登録請求の範囲】
【請求項１】
機動車両上で使用され、ＧＳＭ無線ネットワークを経由してカード発行機構の特約商店にその商品を注文し並びに取引を完成し、該カード発行機構が複数のフェアカードを発行し、各フェアカードが唯一の識別コード及びそのフェアポイント数を保存し、該特約商店に商店端コンピュータが設置され並びにＧＳＭモデムで車上無線商取引システムの無線注文を受け取る、車上無線商取引システムにおいて、
該車上無線商取引システムが、
注文装置とされ、少なくとも一つの商品の注文するのに用いられ、並びに注文に対応する取引データを発生し、該取引データは該商品の購入が控除を必要とする取引ポイント数を含む、上記注文装置と、
カード読み書き機とされ、フェアカードの保存データを読み取るか、或いはデータを該フェアカード中に書き込む、上記カード読み書き機と、
ＧＳＭモデムとされ、無線方式でＧＳＭ無線ネットワークに連結され並びにデータ伝送する、上記ＧＳＭモデムと、
マイクロプロセッサとされ、注文装置の発生した取引データを受け取り、並びにカード読み書き機のフェアカードの識別コードとフェアポイント数の読み取りを制御し、並びにフェアカードのフェアポイント数が取引データのポイント数以上であるか比較し、フェアカードのフェアポイント数が取引データのポイント数以上であれば、該マイクロプロセッサがＧＳＭモデムを制御してフェアカードの識別コード及び取引データをＧＳＭ無線ネットワークを経由して特約商店に送り、商品を提供し、並びにフェアポイント数より取引ポイント数を引いた残りの余剰ポイント数を計算し、並びにカード読み書き機を制御して剰余点数をフェアカードに書き込み取引を完成する、上記マイクロプロセッサと、
を具えたことを特徴とする、車上無線商取引システム。
【請求項２】
前記カード発行機構が特約商店に商店カードを提供し、該商店カードが特約商店を代表する商店コードとその累計ポイント数を保存し、且つ該特約商店の商店端コンピュータがもう一つのカード読み書き機を具えて、データを該商店カードに書き込むか、或いは商店カードにデータを保存することを特徴とする、請求項１に記載の車上無線商取引システム。
【請求項３】
機動車両の車上機に使用され、ソフトウエアプログラムを格納し、ＧＳＭ無線ネットワークを経由してカード発行機構の特約商店に対してその商品を注文し並びに取引をするのに用いられ、該車上機が、注文装置、カード読み書き機、及びＧＳＭモデムを具え、該カード読み書き機が複数のフェアカードを発行し、各フェアカードが唯一の識別コード及びそのフェアポイント数を保存し、該特約商店に商店端コンピュータが設置され並びにＧＳＭモデムで車上機からの無線注文を受け取る、コンピュータが読み取り可能な記録メディアにおいて、
上記ソフトウエアプログラムが、
第１プログラムコードとされ、注文装置より入力された注文を受け取るのに用いられ、該注文が商品を購入するのに必要な控除取引ポイント数の取引データを含む、上記第１プログラムコードと、
第２プログラムコードとされ、カード読み書き機がフェアカードの識別コードとフェアポイント数を読み取るのを制御するのに用いられる、上記第２プログラムコードと、
第３プログラムコードとされ、フェアポイント数より取引ポイント数を差し引いて残る剰余ポイント数を計算するのに用いられる、上記第３プログラムコードと、
第４プログラムコードとされ、車上機のＧＳＭモデムを制御してフェアカードの識別コード及び取引データを商店端コンピュータのＧＳＭモデムに無線伝送するのに用いられる、上記第４プログラムコードと、
第５プログラムコードとされ、車上機のカード読み書き機を制御して剰余ポイント数をフェアカードに書き込み取引を完成するのに用いられる、上記第５プログラムコードと、  を含むことを特徴とする、コンピュータが読み取り可能な記録メディア。
【考案の詳細な説明】
【技術分野】
【０００１】
本考案は一種の車上無線商取引システム及びその方法に係り、特に、機動車両上で直接無線方式でリアルタイムで商品注文が行え、並びにリアルタイムで取引を完成できるシステム及びその方法であり、上述の商品が有形の物品及び無形のサービスの領域を含む、システムに関する。
【背景技術】
【０００２】
現在、機動車両上のシステムには周知のＧＳＭ無線電話システムがあり、友人への連絡や、サービスセンターにダイアルして各種の情報サービス、例えば株式、気象、路面、デパートセール商品などの情報の提供を要求することができる。また別にＧＰＳ（Ｇｌｏｂａｌ  Ｐｏｓｉｔｉｏｎ  Ｓｙｓｔｅｍ）があり、現在の車両の所在位置及び付近の商店の工商サービス情報、例えばホテル、レストラン、映画館、景観ポイントなどの位置情報を得ることができる。【０００３】
しかし、上述の周知のシステムは、ただドライバーが各種の情報を得ることしかできず、欲しい商品がある場合、ドライバーはただ自分で周知のＧＳＭ無線電話システムで音声方式で商店に対して商品を予約（Ｒｅｓｅｒｖａｔｉｏｎ）するか、或いはサービスセンターに予約代行を委任しなければならず、十分に不便であった。また、運転中に予約して即時支払いが行えないと、実際には取引は未完成であり、ドライバーが商店に到達して予約商品がすでに他人に売られてしまっていることがあり、これがドライバーと商店を困らせていた。
【考案の開示】
【考案が解決しようとする課題】
【０００４】
本考案の目的は、一種の車上無線商取引システム及びその方法を提供することにあり、それは機動車両上から直接無線方式で商品をリアルタイムで注文でき、並びにリアルタイムで取引を完成できるシステム及びその方法である。【０００５】
本考案のもう一つの目的は、一種の車上無線商取引システム及びその方法を提供することにあり、それは統計累加して各フェアカード識別コードの取引ポイント数に対応し、ボーナス積分のセールス企画を提供できるシステム及びその方法であるものとする。
【課題を解決するための手段】
【０００６】
請求項１の考案は、機動車両上で使用され、ＧＳＭ無線ネットワークを経由してカード発行機構の特約商店にその商品を注文し並びに取引を完成し、該カード発行機構が複数のフェアカードを発行し、各フェアカードが唯一の識別コード及びそのフェアポイント数を保存し、該特約商店に商店端コンピュータが設置され並びにＧＳＭモデムで車上無線商取引システムの無線注文を受け取る、車上無線商取引システムにおいて、
該車上無線商取引システムが、
注文装置とされ、少なくとも一つの商品の注文するのに用いられ、並びに注文に対応する取引データを発生し、該取引データは該商品の購入が控除を必要とする取引ポイント数を含む、上記注文装置と、
カード読み書き機とされ、フェアカードの保存データを読み取るか、或いはデータを該フェアカード中に書き込む、上記カード読み書き機と、
ＧＳＭモデムとされ、無線方式でＧＳＭ無線ネットワークに連結され並びにデータ伝送する、上記ＧＳＭモデムと、
マイクロプロセッサとされ、注文装置の発生した取引データを受け取り、並びにカード読み書き機のフェアカードの識別コードとフェアポイント数の読み取りを制御し、並びにフェアカードのフェアポイント数が取引データのポイント数以上であるか比較し、フェアカードのフェアポイント数が取引データのポイント数以上であれば、該マイクロプロセッサがＧＳＭモデムを制御してフェアカードの識別コード及び取引データをＧＳＭ無線ネットワークを経由して特約商店に送り、商品を提供し、並びにフェアポイント数より取引ポイント数を引いた残りの余剰ポイント数を計算し、並びにカード読み書き機を制御して剰余点数をフェアカードに書き込み取引を完成する、上記マイクロプロセッサと、
を具えたことを特徴とする、車上無線商取引システムとしている。
請求項２の考案は、前記カード発行機構が特約商店に商店カードを提供し、該商店カードが特約商店を代表する商店コードとその累計ポイント数を保存し、且つ該特約商店の商店端コンピュータがもう一つのカード読み書き機を具えて、データを該商店カードに書き込むか、或いは商店カードにデータを保存することを特徴とする、請求項１に記載の車上無線商取引システムとしている。
請求項３の考案は、機動車両の車上機に使用され、ソフトウエアプログラムを格納し、ＧＳＭ無線ネットワークを経由してカード発行機構の特約商店に対してその商品を注文し並びに取引をするのに用いられ、該車上機が、注文装置、カード読み書き機、及びＧＳＭモデムを具え、該カード読み書き機が複数のフェアカードを発行し、各フェアカードが唯一の識別コード及びそのフェアポイント数を保存し、該特約商店に商店端コンピュータが設置され並びにＧＳＭモデムで車上機からの無線注文を受け取る、コンピュータが読み取り可能な記録メディアにおいて、
上記ソフトウエアプログラムが、
第１プログラムコードとされ、注文装置より入力された注文を受け取るのに用いられ、該注文が商品を購入するのに必要な控除取引ポイント数の取引データを含む、上記第１プログラムコードと、
第２プログラムコードとされ、カード読み書き機がフェアカードの識別コードとフェアポイント数を読み取るのを制御するのに用いられる、上記第２プログラムコードと、
第３プログラムコードとされ、フェアポイント数より取引ポイント数を差し引いて残る剰余ポイント数を計算するのに用いられる、上記第３プログラムコードと、
第４プログラムコードとされ、車上機のＧＳＭモデムを制御してフェアカードの識別コード及び取引データを商店端コンピュータのＧＳＭモデムに無線伝送するのに用いられる、上記第４プログラムコードと、
第５プログラムコードとされ、車上機のカード読み書き機を制御して剰余ポイント数をフェアカードに書き込み取引を完成するのに用いられる、上記第５プログラムコードと、  を含むことを特徴とする、コンピュータが読み取り可能な記録メディアとしている。
【考案の効果】
【０００７】
総合すると、本考案はその目的、手段、機能のいずれにおいても周知の技術とは異なる特徴を有する車上無線商取引システム及びその方法の一代突破である。なお、本考案に基づきなしうる細部の修飾或いは改変は、いずれも本考案の請求範囲に属するものとする。
【考案を実施するための最良の形態】
【０００８】
本考案は機動車両上に注文装置、ＧＳＭモデム、及びマイクロプロセッサを設置する。注文装置は、少なくとも一つの商品の注文を入力するのに用いられ、並びに注文に対応する取引データを発生し、該取引データは該商品の購入が控除を必要とする取引ポイント数を含む。カード読み書き機はフェアカード（Ｆａｒｅ  Ｃａｒｄ）保存データを読み取るか、或いはデータが該フェアカード中に書き込まれる。ＧＳＭモデムは無線方式でＧＳＭ無線ネットワークに連結し並びにデータ伝送するのに供される。マイクロプロセッサは注文装置の発生する取引データを受け取り、並びにカード読み書き機のフェアカードの識別コードとフェアポイント数読み取りを制御し、並びにフェアカードのフェアポイント数が取引データのポイント数以上であるか比較し、イエスであればマイクロプロセッサがＧＳＭモデムを制御してフェアカードの識別コード及び取引データをＧＳＭ無線ネットワークを経由して商店端のＧＳＭモデムに伝送し、特約商店より商品を提供し、マイクロプロセッサが並びにフェアポイント数から取引ポイント数を控除して残った剰余点数を計算し、並びにカード読み書き機を制御して剰余点数をフェアカードに書き込み取引を完成する。これにより、本考案は機動車両上より直接無線方式でリアルタイムで商品注文を行え、並びにリアルタイムに取引を完成できる。【０００９】
そのうち、本考案のフェアカードはＩＣチップカード、バーコードカード、或いはその他のデータ保存機能を有するカードとされうる。取引データは上述の取引ポイント数のほかさらに取引日付、商品コード番号及び又は名称、商品単価、或いは数量等のデータを包括する。カード読み書き機は上述の各種の取引データをフェアカード中に書き込み取引歴史記録とする。【００１０】
本考案の車上で無線取引注文できる商品は、任意の有形の物品（劇場や遊園地のチケット、衣類、ホテルの予約、レストランのテーブルの予約、修理メインテナンスなど）、或いは無形の物品、無形のサービス（景色紹介、オンライン占い、マルチメディアオーディオビデオチャンネルなど）を含む。【００１１】
このほか、カード発行機構は特約商店に、商店カードを提供してその商店コード及び累計ポイント数を保存し、特約商店はもう一つのカード読み書き機でその商店カードに対するデータの読み書きの動作を行え、その取引で得られた点数を累加して商店カードに保存し、さらにカード発行機構への支払いを命じることができる。商店端コンピュータは各識別コードに対応する取引ポイント数を累加統計し、ボーナス積分のセールス企画を提供する。【００１２】
本考案の実行方法は以下のステップにより完成する。
ステップＡ：  注文装置で注文要求を入力し、この注文要求は、一つの商品を購入するのに必要な控除取引ポイント数の取引データを含み、並びにカード読み書き機がフェアカードの識別コード及びフェアポイント数を読み取る。
ステップＢ：  フェアポイント数から取引ポイント数を引いた残りの剰余ポイント数を計算する。
ステップＣ：  機動車両上のＧＳＭモデムでフェアカードの識別コードと取引データを無線で商店端コンピュータのＧＳＭモデムに伝送し並びに機動車両上のカード読み書き機で剰余ポイント数をフェアカードに書き込み、取引を完成する。【００１３】
以上の方法はソフトウエアプログラムで完成し、これにより本考案の方法はコンピュータ言語で書かれた後にさらにコンピュータの読み取り可能な記録メディア中に格納され、この記録メディアは、ハードディスク、フレキシブルディスク、ＣＤ、ＺＩＰ、ＭＯ、ＩＣチップ或いはこれらの記録メディアを含む使用可能な物品とされ、好ましくは、それをＲＡＭ中に格納してアクセス実行しやすいようにする。
【実施例１】
【００１４】
図１に示されるように、カード発行機構４（例えばＭｏｎｄｅｘ国際授権組織）が複数のフェアカードＣ（Ｆａｒｅ  Ｃａｒｄ）を発行し、各フェアカードＣが唯一の識別コードＩＤとそのフェアポイント数Ｓを保存する。該フェアポイント数Ｓは使用者がカード発行機構４より新たにフェアカードＣを購入する時、先に金額を支払い、その代わりに取得したフェアポイント数ＳがフェアカードＣ内に保存される。これにより、使用者はカード発行機構４の特約商店３内にあって、該フェアカードＣでその消費ポイント数Ｐを差し引くことができ、ゆえに、フェアカードＣは現金と同じに使用でき、また電子現金（Ｅｌｅｃｔｒｏｎｉｃ  Ｃａｓｈ）と称される。【００１５】
特約商店３全体の稼いだ累計ポイント数ΣＰは紙の請求書でカード発行機構４に支払い請求することもできるが、図１に示されるように、商店端コンピュータ３０の金融交換末端機３２例えばファクシミリマシン、モデムでデータ伝送作業を行い、並びに公共電信ネットワーク６（Ｐｕｂｌｉｃ  Ｓｗｉｔｃｈ  Ｔｅｌｅｐｈｏｎｅ  Ｎｅｔｗｏｒｋ：ＰＳＴＮ）でカード発行機構４に連結してそれに対する支払い請求を行うことができる。カード発行機構４のサーバー４１は請求点数及び金額に間違いがないことを確認すると、金融機構５のカード発行機構台帳５１より金額Σ＄を各商店帳簿５２内に転帳する。【００１６】
本考案は上述の金融交流環境を基礎とし、さらに機動車両上の車上機１で直接無線方式を利用して即時商品注文、即時取引完成するシステムと方法である。以下に述べる車上無線取引注文の商品は、任意の有形の物品（劇場や遊園地のチケット、衣類、ホテルの予約、レストランのテーブルの予約、修理メインテナンスなど）、或いは無形の物品、無形のサービス（景色紹介、オンライン占い、マルチメディアオーディオビデオチャンネルなど）を含む。【００１７】
本実施例のフェアカードＣには比較的大保存容量のＩＣチップを使用するのが好ましいが、バーコードカード、磁気リングカード或いはその他のデータ保存機能を有するカードとすることもできる。【００１８】
図１に示されるように、本実施例では、同時に複数の特約商店３を有し、それらがいずれもそれぞれその商店端コンピュータ３０でそのＧＳＭモデム３１に連結され、ＧＳＭ無線ネットワーク２を経由して車上機１からの無線注文を受け取ることができる。前述の車上機１において、マイクロプロセッサ１４が注文装置１１、カード読み書き機１２、及びＧＳＭモデム１３に連結されている。【００１９】
使用者が本実施例の車上機１よりＧＳＭ無線ネットワーク２を経由してカード発行機構４の特約商店３に対して商品Ｍを注文する時、使用者は先にフェアカードＣを購入しなければならず、並びに図２に示されるステップを実行する。
ステップＳＡ：  注文装置１１で注文を入力する。注文装置１１は簡単で単純な押しボタン或いはキーボードとされ、例えばサービスセンターの職員の協力により商品Ｍのデータをダウンロードして使用者が注文するか否かの確認を行うのに供するか、或いは先にスクリーンブラウザを提供して使用者が注文したい商品Ｍをクリック選択するのに供する。しかし、共通点は、いずれも取引データＤを発生し、取引データＤが該商品Ｍの購入が必要とする控除の取引ポイント数Ｐを含む。このほか、カード読み書き機１２が購入したフェアカードＣの識別コードＩＤ及びフェアポイント数Ｓを読み取る。
ステップＳＢ：  本実施例中にあって、マイクロプロセッサ１４はまずフェアポイント数Ｓを取引ポイント数Ｐより差し引いて余剰ポイント数Ｒを計算し、さらにステップＳＢ１として、余剰ポイント数Ｒが０より大きいか否かを比較してこのフェアカードＣのポイント数Ｓが使用に十分であるかを判断する。当然、直接フェアポイント数Ｓが取引データＤの取引ポイント数Ｐより大きいか否かを比較してこのフェアカードＣのポイント数Ｓが使用に十分であるか否かを判断することも可能である。フェアカードＣのフェアポイント数Ｓが取引データＤの取引ポイント数Ｐ以上であれば、ステップＳＣに進む。
ステップＳＣ：  車上機１のＧＳＭモデム１３が無線方式で、ＧＳＭ無線ネットワーク２に連結され、並びにフェアカードＣの識別コードＩＤ及び取引データＤ（取引ポイント数Ｐを含む）を無線で商店端コンピュータ３０のＧＳＭモデム３１に伝送する（ステップＳＣ１）。図３も参照されたい。このとき、もし商店端コンピュータ３０がフェアカードＣの識別コードＩＤ、及び取引データＤ（取引ポイント数Ｐを含む）にエラーがないことを確認（ステップＳＣ２）すると、特約商店３が商品Ｍを使用者に供給でき、並びに確認コードを車上機１のＧＳＭモデム１３に送り（ステップＳＣ３）、即ち車上機１のカード読み書き機１２が続いて前述の計算で得られた余剰ポイント数ＲをフェアカードＣに書き込み、取引を完成し（ステップＳＣ４）、安全性を有する。【００２０】
これにより、本考案は車上より直接無線方式で即時商品注文が行え、並びに即時取引完成できる。そのうち、上述の取引データＤはさらに取引日付時間、商品コード番号及び又は名称、商品単価、或いは数量等のデータを包括し、並びにカード読み書き機１２が該フェアカードＣに書き込み、取引歴史記録となす。
管理しやすいように、本例のカード発行機構４は各一つの特約商店３に一枚の商店カードＣ’を提供し、特約商店３が商店端コンピュータ３０のカードリーダー３４で累計ポイント数ΣＰを商店カードＣ’に書き込むか、或いは支払い請求時に累計ポイント数ΣＰと共に該特約商店３を代表する商店コードＩＤ’を送信する。【００２１】
図４はもう一つの具体的実施例を示し、その車上機１と前述の実施例は完全に同じであるが、組み合わされる複数の特約商店が一つのサービスセンター３’に整合されて、注文を統一して受け、ポイント数控除を統一して行い、取引完成後にポイント数を各商店に分配する。こうして使用者はただ一つのサービスセンター３’の電信コード番号を記憶するだけでよく、各商店の電信コード番号を記憶する必要がない。またサービスセンターコンピュータ３０’が各一つの識別コードＩＤに対してそのここにあって消費した取引ポイント数を累加統計し、ゆえにボーナス積分などの多様化したセールス企画と組み合わせられる。【００２２】
図４に示されるように、本実施例の車上機１はＧＳＭモデム１３でサービスセンターコンピュータ３０’のＧＳＭモデム３１に無線で連結され、それは即時オンライン、即時取引完成を採用している。しかし、本実施例ではメモリ装置３３が増設されて、複数の取引データＤを暫時保存でき、ある時間累積しさらに毎日の特定時間例えば午後１１時或いは不特定時間にカード発行機構４のサーバー４１に一回連結して情報を交換し、ネットワークの混雑を減少する。【００２３】
このほか、前の二例中の各フェアカードＣは新たに購入されてフェアポイント数Ｓが予め保存されるが、消費を続けてポイント数がなくなった時は、本実施例の図４中の金融機構５中より使用者の個人台帳５３より自動レジスタ５０がカード発行機構台帳５１に転帳し、これによりポイント数を購入でき並びにフェアカードＣ中に書き込む。【００２４】
或いは、サービスセンター３’がその台帳５２’よりカード発行機構台帳５１に転帳して一つのトータルバッチポイント数を予め購入する。運転中で自動レジスタ５０にアクセスして転帳してポイント数申請するのが不便であるときは、使用者はサービスセンター３’の協力を求めることができる。サービスセンター３’はまずＧＳＭモデム３１より小バッチポイント数を車上機１のＧＳＭモデム１３にダウンロードし、並びにそれをフェアカードＣに書き込み、使用に供する。その後、サービスセンター３’がさらにこの取引データＤ（使用者のフェアカードＣの識別コードＩＤ、及び上述のダウンロードポイント数Ｐを含む）に対してカード発行機構４に支払いを求め、カード発行機構４がエラーのないことを確認した後、カード発行機構台帳５１より対応する金額をサービスセンター台帳５２’に転帳し、同時に該識別コードＩＤにより使用者の個人台帳５３に対して転帳償還を要求し、こうしてさらに使用の便利性が高められている。【００２５】
本考案の車上無線商取引システム及びその方法は、コンピュータ言語で書かれて実行され、書かれたソフトウエアプログラムは任意のマイクロプロセッサユニットにより識別、解読されうる記録メディアとされるか、或いはこの記録メディアを含む物品及び装置とされる。その形式に限定はなく、この物品は、ハードディスク、フレキシブルディスク、ＣＤ、ＺＩＰ、ＭＯ、ＩＣチップ、ＲＡＭ、或いは使用可能なこの記録メディアを含む物品とされる。本考案の車上無線商取引方法はすでに完全に記載され、コンピュータ言語に習熟する者であれば、本明細書によりソフトウエアプログラムを書くことができるため、ソフトウエアプログラムの細かい部分については説明を省略する。
【図面の簡単な説明】
【００２６】
【図１】本考案の好ましい実施例のシステム構造ブロック図である。
【図２】本考案の好ましい実施例のフローチャートである。
【図３】本考案の好ましい実施例の細部フローチャートである。
【図４】本考案のもう一つの好ましい実施例のシステム構造ブロック図である。
【符号の説明】
【００２７】
１  車上機          １１  注文装置        １２  カード読み書き機
１３  ＧＳＭモデム  １４  マイクロプロセッサ
２  ＧＳＭ無線ネットワーク        ３  特約商店
３０  商店端コンピュータ          ３１  ＧＳＭモデム
３’  サービスセンタ              ３０’  サービスセンタコンピュータ
３３  記憶装置                    ３４  カード読み書き機
４  カード発行機構                ４１  サーバー
５  金融機構                      ５０  自動レジスタ
５１  カード発行機構帳簿          ５２’  サービスセンター帳簿
６  公共電信ネットワーク          Ｃ  フェアカード
Ｃ’  商店カード                  Ｄ  取引データ
ＩＤ  識別コード                  ＩＤ’  商店コード
Ｍ  商品                          Ｐ  取引ポイント数
ΣＰ  累計ポイント数              Ｓ  フェアポイント数
Ｒ  剰余点数
【図１】
0003121789.tif 000003
【図２】
0003121789.tif 000004
【図３】
0003121789.tif 000005
【図４】
0003121789.tif 000006
【手続補正書】
【提出日】平成18年3月17日(2006.3.17)
【手続補正１】
【補正対象書類名】実用新案登録請求の範囲
【補正対象項目名】全文
【補正方法】変更
【補正の内容】
【実用新案登録請求の範囲】
【請求項１】
機動車両において使用される運転環境設定装置において、
少なくとも一つの車用アクセサリに電気的に接続されたデータバスと、
それぞれが対応する車用アクセサリを設定した使用状態となすように設定するための複数の設定データを保存し、携帯されて遠端コンピュータに接続されてこれらの設定データを更新することができる、携帯式保存媒体と、
電気的に該データバスに接続された電磁読み書き機と、
電気的に該データバスに接続されると共に、該電磁読み書き機を制御して携帯式保存媒体内よりこれらの設定データを読み取らせ、並びにその対応する車用アクセサリを設定された使用状態となすコントローラと、
を具えたことを特徴とする、運転環境設定装置。
【請求項２】
請求項１に記載の運転環境設定装置において、携帯式保存媒体が携帯式メモリカードとされたことを特徴とする、運転環境設定装置。
【請求項３】
請求項１に記載の運転環境設定装置において、遠端コンピュータが遠端サービスセンターのサーバーに連結され、並びに該遠端サービスセンターのサーバーよりこれら更新データをダウンロードして携帯式保存媒体内に書き込んで設定データを更新できることを特徴とする、運転環境設定装置。
【請求項４】
請求項１に記載の運転環境設定装置において、無線ダウンロード装置を具え、該無線ダウンロード装置により少なくとも一つの更新データをダウンロードし、且つ電磁読み書き機によりこれら更新データを携帯式保存媒体内に書き込んで設定データを更新できることを特徴とする、運転環境設定装置。
【請求項５】
請求項４に記載の運転環境設定装置において、無線ダウンロード装置を具え、該無線ダウンロード装置が遠端サービスセンターのサーバーより更新データを無線ダウンロードすることを特徴とする、運転環境設定装置。
【手続補正２】
【補正対象書類名】明細書
【補正対象項目名】全文
【補正方法】変更
【補正の内容】
【考案の詳細な説明】
【技術分野】
【０００１】
本考案は一種の運転環境設定装置に係り、特に機動車両のオーナーが随時随所で自分で運転環境を更新でき、並びに更新データを無線ダウンロードできる設定装置に関する。
【背景技術】
【０００２】
近年、生活水準が不断に高まり、一般大衆の交通方式は自前の交通工具がメインとなり、通勤、通学或いは休日のレジャーに、自家用車両はすでに不可欠の交通工具となっている。
【０００３】
最も常用されている自家用車を例に挙げると、現在、車のメーカーはそれぞれ個人の好みに合わせて、高い付加価値或いは高い付加機能を具えた高品質車を不断に販売しており、例えば、自動車電話システム、衛星ナビゲーションシステム、マルチメディアシステム、電動椅子等を有したものがあり、このような車の配備はこれまで高級車にしか見られなかったが、現在では一般の車の標準配備になりつつある。
【考案の開示】
【考案が解決しようとする課題】
【０００４】
しかし、上述の多種類の車のアクセサリは、往々にして車主が運転前或いは運転中にそれぞれ逐一、個人の要求する環境に符合するように設定調整しなければならず、多種類のアクセサリの制御は十分に煩瑣であり、特に前の人が運転後に次の人が運転する時には新たに全部を一度調整しなければならず、非常に不便である。
【０００５】
このほか、上述の車の各アクセサリにビルトインされたコンピュータソフトは完全に使用者が自分で更新することができず、もしバージョンアップしたい場合は、車主は特定の修理工場或いは製造メーカーに出向いて特定の修理員により内部データを更新してもらわねばならず、車主にとっては使用上の不便と時間の浪費を形成しやすい。
【０００６】
本考案の主要な目的は、一種の運転環境設定装置を提供することにあり、それは、随時随所で携帯式保存媒体内部のデータを更新でき、並びに個人に符合する運転環境に設定できる装置であるものとする。
【０００７】
本考案の次の目的は、一種の運転環境設定装置を提供することにあり、それは、快速リアルタイムに設定データを更新できる装置であるものとする。
【課題を解決するための手段】
【０００８】
請求項１の考案は、機動車両において使用される運転環境設定装置において、
少なくとも一つの車用アクセサリに電気的に接続されたデータバスと、
それぞれが対応する車用アクセサリを設定した使用状態となすように設定するための複数の設定データを保存し、携帯されて遠端コンピュータに接続されてこれらの設定データを更新することができる、携帯式保存媒体と、
電気的に該データバスに接続された電磁読み書き機と、
電気的に該データバスに接続されると共に、該電磁読み書き機を制御して携帯式保存媒体内よりこれらの設定データを読み取らせ、並びにその対応する車用アクセサリを設定された使用状態となすコントローラと、
を具えたことを特徴とする、運転環境設定装置としている。
請求項２の考案は、請求項１に記載の運転環境設定装置において、携帯式保存媒体が携帯式メモリカードとされたことを特徴とする、運転環境設定装置としている。
請求項３の考案は、請求項１に記載の運転環境設定装置において、遠端コンピュータが遠端サービスセンターのサーバーに連結され、並びに該遠端サービスセンターのサーバーよりこれら更新データをダウンロードして携帯式保存媒体内に書き込んで設定データを更新できることを特徴とする、運転環境設定装置としている。
請求項４の考案は、請求項１に記載の運転環境設定装置において、無線ダウンロード装置を具え、該無線ダウンロード装置により少なくとも一つの更新データをダウンロードし、且つ電磁読み書き機によりこれら更新データを携帯式保存媒体内に書き込んで設定データを更新できることを特徴とする、運転環境設定装置としている。
請求項５の考案は、請求項４に記載の運転環境設定装置において、無線ダウンロード装置を具え、該無線ダウンロード装置が遠端サービスセンターのサーバーより更新データを無線ダウンロードすることを特徴とする、運転環境設定装置としている。
【考案の効果】
【０００９】
総合すると、本考案はその目的、手段及び機能のいずれにおいても従来の技術の特徴とは異なり、運転環境設定装置の一大突破である。なお、以上の実施例は本考案の実施範囲を限定するものではなく、本考案に基づきなしうる細部の修飾或いは改変は、いずれも本考案の請求範囲に属するものとする。
【考案を実施するための最良の形態】
【００１０】
本考案は少なくとも一つの車用アクセサリに接続されたデータバスと、周知の６４ＫＢ、１２８ＫＢ、或いはその他の異なる容量のＩＣメモリカード、或いはその他の高容量保存媒体例えばコンパクトフラッシュ（登録商標）カード、スマートメディア（登録商標）カード、メモリースティックカードとされ、対応する車用アクセサリを設定使用状態となすのに用いられる複数の設定データを保存し、携帯式保存媒体と、該データバスに接続された電磁読み書き機とコントローラを具え、該コントローラは並びに電磁読み書き機を制御して携帯式保存媒体内に更新データを書き込んで上述の設定データを更新し、こうして快速、リアルタイムに設定データを更新する。このほか、コントローラは並びに電磁読み書き機を制御して携帯式保存媒体より保存された設定データ或いは更新データを読み取り、並びにこれによりその対応する車用アクセサリを設定し、使用者個人に符合する運転環境を設定する。
【００１１】
本考案はさらに無線ダウンロード装置を具えた形態が可能であり、無線ネットワーク等の方式を透過し、遠端サービスセンターより少なくとも一つの更新データをダウンロードし、並びに電磁読み書き機で更新データを携帯式保存媒体に書き込み上述の設定データを更新し、こうして快速、リアルタイムに設定データを更新する目的を達成する。
【００１２】
無線ダウンロード方式のほか、携帯式保存媒体を遠端コンピュータで読み書きして上述の設定データの更新を行うことができる。そのうち、遠端コンピュータは遠端サービスセンターに、例えば有線ネットワークの広域ネットワーク、或いはインターネットを透過して接続されるか、或いは無線ネットワーク等の方式で遠端サービスセンターより更新データをダウンロードできる。上述の遠端コンピュータは車主の家庭のパソコンとされるか、或いは飛行場、ガソリンスタンド、郵便局、銀行、特約修理工場、コンビニエンスストア或いは特約工場等の場所の情報ステーションに設置され、これにより随時随所で容易に携帯式保存媒体の内部データを更新でき、車主の使用に便利である。
【００１３】
このほか、携帯式保存媒体のデータはまた車上の入力装置、或いは遠端コンピュータの入力装置を透過し、車主により直接入力、更新することが可能で、例えば自動車電話のキーボード、音声で制御する装置、家庭のコンピュータマウスとキーボードを使用し、車主が簡単に入力、更新できる。
【実施例】
【００１４】
図１は本考案を機動車両に組み付けたシステム構造図である。本考案によると、自動車電気系統のデータバス１（例えばＣＡＮバス）にカードリーダー３、コントローラ４、及び各種の車用アクセサリが連結される。該カードリーダー３は電磁読み書き機とされて携帯式メモリカード２に対してデータの読み書き動作を行う。該携帯式メモリカード２は電磁データ保存媒体とされ、本実施例では１６ＭＢの高容量ＩＣカードとされ、各種車用アクセサリを設定された使用状態となすための複数の設定データを大量に保存できる。携帯式メモリカード２は上述の車上のカードリーダー３内に挿入可能で、コントローラ４の制御によりそのデータの読み書きが行われる。
【００１５】
車主は乗車すると先ずその個人の携帯式メモリカード２をカードリーダー３内に挿入し、カードリーダー３は先ず該携帯式メモリカード２内の各種設定データを読み取り、コントローラ４が設定に基づき各種の車用アクセサリを設定された使用状態となす。例えば車用携帯電話システム５１を例に挙げると、図２も併せて参照されたいが、携帯式メモリカード２内に予め車主個人の起動暗号データと車主が常用する電話帳設定データ５３が保存され、該電話帳設定データ５３は車主携帯電話番号５３１、２００組の異なる姓名の中国語／英語常用電話番号５３２、２０組の呼び出し表示番号５３３、２０組のダイアル番号５３４、１０組の短縮ダイアル電話番号５３５、一組のリダイアル電話番号５３６を含む。車主が乗車してカードを挿入した後、コントローラ４は該カードリーダー３を制御して携帯式メモリカード２内の上述の電話帳設定データ５３を読み取らせ、並びにそれを携帯電話システム５１のメモリ内に保存し、並びにこれにより車用携帯電話システム５１を車主専用の携帯電話環境となす。さらには、電話会社と連盟してそのＳＩＭカードデータ５３０を併せて携帯式メモリカード２中に保存することにより、更に実益を有するものとされる。
【００１６】
上述の携帯式メモリカード２にはまた図１、２中の各種の車用アクセサリが必要とする設定データ、例えば衛星ナビゲーションシステム５２の電子地図５４１、常用ナビゲーション経路５４２、或いはマルチメディアシステム６のスピーカ６１２のボリュームデータ５５１、ディスプレイ６２２の解析度５５２、コントラスト５５３、カラートーン５５４等のデータ、或いはその他の未表示の、例えば常時聴く無線ラジオチャンネル、電動椅子の椅子前後位置、背もたれリクライニング角度、空調システムの好みの温度、湿度、盗難防止システムの敏感度等の設定データが保存される。当然、各特約工場に委託された広告データ、或いは販売促進データを収集することも可能である。本実施例の携帯式メモリカード２は一つのカードに一体に多種類の車用アクセサリの設定データを整合し、また携帯して完全に所有者の個人の好みの設定を代表し、これにより個人に符合する運転環境を設定できる。
【００１７】
図１に示される本実施例の携帯式メモリカード２中のデータは車用携帯電話システム５１の入力キーボード５１２を経由し直接更新されカードリーダー３により携帯式メモリカード２中に書き込まれる。或いは、車用携帯電話システム５１のＧＳＭモジュール５１１を無線ダウンロード装置となし、遠端サービスセンター９より更新データを無線ダウンロードすることもできる。上述の更新データはコントローラ４がカードリーダー３を制御することにより携帯式メモリカード２に書き込まれてデータが更新される。本実施例では運転中に随時随所で無線でデータを更新する目的を達成できる。
【００１８】
本実施例の無線ダウンロード装置はＧＰＲＳモジュール、ＣＤＭＡモジュール或いはその他の同じ効果を有する無線通信モジュールに代えることができ、いずれも同じ効果を達成する。その伝送モードはモデム伝送、ショートメッセージ、ディジタルブロードキャスティング、或いはその他の同じ効果を有する方式により達成される。
【００１９】
無線更新する内容は上述の各種の車用アクセサリの設定データのほか、各種の車用アクセサリが使用するコンピュータソフト、例えば図１中のＧＳＭモジュール５１１、携帯電話システム５１、ＧＰＳモジュール５２１、音声出力装置６１のＴＴＳ（Ｔｅｘｔ  ｔｏ  Ｓｐｅｅｃｈ）モジュール６１１、画像出力装置６２のＯＳＤ（Ｏｎ  Ｓｃｒｅｅｎ  Ｄｉｓｐｌａｙ）モジュール６２１等の使用するコンピュータプログラムはいずれも随時随所で更新バージョンを無線ダウンロードでき、車主が自ら工場に出向いて更新／グレードアップする必要がない。
【００２０】
本実施例の携帯式メモリカード２の特色は携帯式であることであり、即ち、車主が車外に持ち出して遠端のコンピュータで随時随所でデータ更新が行える。例えば図３に示される実施例では、携帯式メモリカード２が車主の家に持ち込まれ、家庭のコンピュータ７の大きなディスプレイ７１、大きなキーボード７３、マウス７２、或いは音声制御の入力装置を使用し、簡単にデータを入力、更新できる。該家庭のコンピュータ７をインターネット７４に接続し、さらにインターネット７４により遠端サービスセンター９のサーバーにログインし、並びに遠端サービスセンター９のサーバーの強大機能を利用して例えばナビゲーション経路の更新を補助し、さらに遠端サービスセンター９よりインターネット７４を経由して更新後のデータをダウンロードすると、カードリーダー３’によりそれを携帯式メモリカード２内に書き込むことができる。或いは、上述の図１のように遠端サービスセンター９より所定の時間に無線ダウンロード方式で車上ＧＳＭモジュール５１１に伝送して携帯式メモリカード２に保存することができる。
【００２１】
図４はもう一種の遠端コンピュータで携帯式メモリカード２内のデータを更新する情況を示し、例えば飛行場、ガソリンスタンド、郵便局、コンビニエンスストア、メーカーサービスステーション、特約修理工場、或いは特約メーカー等の地点の情報ステーション８で使用される。図４に示されるこのような情報ステーション８はカードスロット８２を具えて車主が携帯式メモリカード２を挿入するのに供され、情報ステーション８自身は広域ネットワーク、インターネット、無線ネットワーク等の方式で遠端サービスセンターに連結されている。これにより、車主は多元化された情報ステーション８のキーボード８１により直接データを入力、更新でき、ゆえに随時随所で、最も便利な場所で必要なデータの入力、更新、取り出しが行え、相当に便利である。
【図面の簡単な説明】
【００２２】
【図１】本考案のシステム構造表示図である。
【図２】本考案の電話帳保存データ内容表示図である。
【図３】本考案の家庭に設けられた遠端コンピュータ表示図である。
【図４】本考案の飛行場に設けられた情報ステーション表示図である。
【符号の説明】
【００２３】
１  データバス      ２  携帯式メモリカード  ３  カードリーダー
４  コントローラ    ５１  携帯電話システム  ５１１  ＧＳＭモジュール
５１２  入力キーボード      ５２  衛星ナビゲーションシステム
５３  電話帳設定データ      ５３０  ＳＩＭカードデータ
５３１  車主携帯電話番号    ５３２  常用電話番号
５３３  呼び出し表示番号    ５３４  ダイアル番号
５３５  短縮ダイアル電話番号    ５３６  リダイアル電話番号
５４１  電子地図                ５４２  常用ナビゲーション経路
５５１  スピーカボリュームデータ  ５５２  ディスプレイ解析度データ
５５３  ディスプレイコントラストデータ
５５４  ディスプレイカラートーンデータ
６  マルチメディアシステム        ６１  音声出力装置
６１１  ＴＴＳモジュール          ６１２  スピーカ
６２  画像出力装置              ６２１  ＯＳＤモジュール
６２２  ディスプレイ              ７  家庭のコンピュータ
７１  ディスプレイ                ７２  マウス
７３  キーボード                  ７４  インターネット
８  情報ステーション              ８１  キーボード
８２  カードスロット              ９  遠端サービスセンター